(57)【要約】      （修正有）【課題】シャープペンシル用替芯に含浸させた香りを極力持続させることができる容器を提供する。【解決手段】箱体１は、少なくとも箱本体部分１ａと蓋部材１ｂとから構成されており、箱本体部分１ａに香り成分が含浸されたシャープペンシル用替芯が収納されている。箱体１の外形は７５ｍｍ×５ｍｍ×２０ｍｍ程度の直方体形状であり、構成される合成樹脂製板状部品の厚みは１ｍｍ〜２ｍｍ程度である。直方体の角に該当する部分には、袋体２の内面を傷つけないようにするために曲面状（所謂面取りのＲ加工）に形成されている。【選択図】図１
0003134489.tif 000002
【実用新案登録請求の範囲】
【請求項１】
少なくとも揮発成分を含む香料組成物を含浸したシャープペンシル用芯を、合成樹脂製箱体内に配置し、この合成樹脂製箱体をポリプロピレン製袋体内に空気と共に密閉収容した香料入り替芯容器。
【請求項２】
前記合成樹脂製箱体の壁面を形成する合成樹脂材質が、水蒸気透過率が２０［ｇ／ｍ２／２４時間］以上１６０［ｇ／ｍ２／２４時間］以下（３８℃、湿度９０％、ＪＩＳ  Ｚ  ０２０８）である請求項１に記載の香料入り替芯容器。
【請求項３】
前記シャープペンシル用芯が、前記香料組成物と共にシクロデキストリンを含浸させたものである請求項１又は請求項２に記載の香料入り替芯容器。
【請求項４】
前記ポリプロピレン製袋体が透明面と不透明面とを有し、透明面を通じて視認される不透明面及び前記合成樹脂製箱体の視認される面とを金属様光沢性着色面とした請求項１乃至請求項３のいずれかに記載の香料入り替芯容器。
【請求項５】
前記金属様光沢性着色面がアルミニウム材質により着色されている請求項４に記載の香料入り替芯容器。
【請求項６】
前記合成樹脂製箱体が、少なくともアクリロニトリル−ブタジエン−スチレン部材及び／又はアクリロニトリル−スチレン部材を含む請求項１乃至請求項５のいずれかに記載の香料入り替芯容器。
【請求項７】
前記合成樹脂製箱体の壁面の内面中心部にポリプロピレンシートを貼着した請求項１乃至請求項６のいずれかに記載の香料入り替芯容器。
【請求項８】
前記ポリプロピレン製袋体が端部に切り開け用の切り欠き部を有する請求項１乃至請求項７のいずれかに記載の香料入り替芯容器。
【考案の詳細な説明】
【技術分野】
【０００１】
本願発明は、香料を含浸させたシャープペンシル用芯を収容する香料入り替芯容器に関する。
【背景技術】
【０００２】
従来、シャープペンシル様の替芯は、特許文献１に開示されているような合成樹脂製のケースに容れられて売られていた。
【特許文献１】特開平１１−０９１２８７号公報
【考案の開示】
【考案が解決しようとする課題】
【０００３】
シャープペンシル用の替芯に、揮発成分である香料を含浸させた場合、徐々に香料が揮発して、購入者が使用するときに香りを感じることができない。
【課題を解決するための手段】
【０００４】
即ち、本考案は、少なくとも揮発成分を含む香料組成物を含浸したシャープペンシル用芯を、合成樹脂製箱体内に配置し、この合成樹脂製箱体をポリプロピレン製袋体内に空気と共に密閉収容した香料入り替芯容器を要旨とする。
【考案の効果】
【０００５】
香料を含浸させたシャープペンシル用の替芯を、合成樹脂製の箱体に入れて、この箱体を更にポリプロピレン製の袋体で密閉するので、香料の無限揮散を抑制し、使用時に所望の香りを使用者に提供することができる。そして、合成樹脂製の箱体とポリプロピレン袋とでは水分透過率が異なるので、箱体の中で、揮散した香料が飽和し箱から揮散した香料がポリプロピレン袋内に洩れる。ポリプロピレン袋の水蒸気透過率は極めて低いので香料が揮散し続ければ袋内が飽和となるが、ポリプロピレン袋は多少なりとも伸縮性を備えていることもあって、香料が揮散した袋内の圧力は大気圧よりも少し高い状態となる。袋を開封すると香気が噴出して効果的である。また、香料成分がシクロデキストリンと共存すると、シクロデキストリンが水分と接触したときに香料が揮散しやすくなるような状態とすることができる。また、板状アルミニウム顔料を使用したり、アルミニウム蒸着フィルムを使用した、金属光沢様面は、光を反射して箱体内や袋内の温度上昇を抑制するので、香料の過度な揮散が抑制される。アクリロニトリル−ブタジエン−スチレンやアクリロニトリル−スチレンなどの、アクリル系、スチロール系の合成樹脂は、香料などの揮発成分に犯されることがあり、特に箱体を構成するような板状の部材は、射出成型の樹脂の流れの関係で板の中心部分あたりにクラックが入ることがあるのを、ポリプロピレン製シートを貼着することで、香料成分に犯されにくくなると共に、樹脂の伸縮を抑制できる。また、ポリプロピレン袋を切り込みからの切断にて開封するようになすことによって、使用者に開封による初期性や新鮮さをアピールすることができる。
【考案を実施するための最良の形態】
【０００６】
シャープペンシル用の替芯としては、粘土やポリ塩化ビニル、ポリ塩素化ポリエチレン、フラン樹脂、ポリビニルアルコール、スチロール樹脂、アクリル樹脂、尿素樹脂、メラミン樹脂、ポリエステル樹脂などの合成樹脂を結合材として使用し、黒鉛、窒化硼素、タルク、雲母などの体質材、必要に応じて使用される有機顔料や無機顔料などの着色材、ポリアミド、ポリエチレン、ポリメチルメタクリレート（ＰＭＭＡ）などの気孔形成材、フタル酸ジオクチル（ＤＯＰ）、フタル酸ジブチル（ＤＢＰ）などの可塑剤、水、アルコール、ケトン、エステル、芳香族炭化水素などの溶剤と共にニーダー、ヘンシェルミキサー、３本ロールなどで均一分散させた後に成形し、８００℃以上１２００℃以下で高温焼成して得られた焼成芯体を基本骨格とするものや、着色剤を結合材、体質材などと混練、成形して得られる焼成しない芯体を使用することができる。
【０００７】
香料とは香気を放つ成分そのものであり、また香料成分とは香料と及びそれを含有し、溶剤などの機能性配合成分や不純物などを各種含む組成物を包含するものである。例えば、植物性原料から圧搾、水蒸気蒸留などの手段により得られるラベンダー、ジャスミン、ローズ、ベルガモットなどの精油や、麝香鹿の香のうや抹香鯨の結石などの動物性原料を、各種溶媒により抽出し濃縮して得られるムスクやアンバーグリースなどの精油や、食品素材を圧搾抽出したり加熱処理を施すなどして得られる調理フレーバー、また、乳原料、脂質、タンパク質及び糖質等と微生物・酵素との化学反応により生成する微生物・酵素フレーバーや、エチルアセテート、プロピルアセテート、エチルブチレート、ベンジルアセテート、酢酸アミル、イソボルニルアセテート、フェニルエチルアルコール、ヘキシルアルコール、ターピネオール、ベンジルアルコールなどの合成香料が挙げられ、さらには、香気の立ち上がり強度や、香りのバランス、更には香りの持続性などを調整する際に使用される各種溶剤類が配合されている場合も含む。
【０００８】
溶剤類は無臭有臭の区別なく使用できるもで、例えば、ピネン、セイリネン、サンタレンなどの炭化水素類、プロピレングリコール、ジプロピレングリコールなどの脂肪族アルコール類、テルピネオール、イソボルネオなどのテルペンアルコール類、サンタロール、セドロール、ランブテロールなどのセスキテルベンアルコール類、フェニルエチルアルコール、桂皮アルコールなどの芳香族アルコール類、パラクレゾール、チモールなどのフェノール類、ベンジルベンゾエート、イソオイゲノールなどのフェニルエーテル類、アグルメなどのＣ８〜Ｃ１３の炭化水素鎖をもつ脂肪族アルデヒド類、シトラール、シトロネラなどのテルペンアルデヒド類、ベンズアルデヒド、フェニルプロピルアルデヒドなどの芳香族アルデヒド類、シスジャスモン、メントンなどの環状ケトン類、ナノラクトンなどのラクトン類、ベンジルアセテート、ゲラニルアセテートなどのエステル類、インドール、メチルアンスラアニレートなどのニトロ化化合物類、蒸留水などを例示でき、これら溶剤を単独または複数種組み合わせて使用される。
これら香料成分を芯体の気孔中に含浸させる割合は任意でよいが、強く香りを感じたければ芯体重量に対して５重量％以上含浸させれば良い。
【０００９】
シクロデキストリンは、環状オリゴ糖である。
本発明においては、α−シクロデキストリン、β−シクロデキストリン、γ−シクロデキストリンのいずれか１種若しくは２種以上を用いることができ、また、置換基を有してもよい。置換基を有するシクロデキストリンとしては、特に限定されず用いることが出来る。例えば、ヒドロキシルアルキル化シクロデキストリン、アルキル化シクロデキストリン、グルコキシル化シクロデキストリン、アミノ化シクロデキストリン、カルボキシメチル化シクロデキストリン、グルコース残基の少なくともその一部をヒドロキシエチル、２−ヒドロキシプロピル、２，３−ジヒドロキシプロピル、２−ヒドロキシブチル、２−ヒドロキシイソブチル、ジエチルアミノエチル、トリメチルアンモニウムプロピルなどの親水性官能基にしたシクロデキストリン、エピクロルヒドリンや多価グリシジルエーテルなどの架橋剤にて高分子化したシクロデキストリンポリマー、グルコース、マルノースなどの分岐側鎖を有する分岐シクロデキストリン、高度分岐環状デキストリン等のいずれか１種若しくは２種以上を用いることができる。
これらシクロデキストリンの含浸量は、芯体の重量に対して０．０１重量％以上含浸させることで十分である。
【００１０】
シャープペンシル用芯を、合成樹脂製箱体は、アクリロニトリル−ブタジエン−スチレンやアクリロニトリル−スチレンなどの、アクリル系、スチロール系、ポリアセタール系の合成樹脂の射出成型品、射出成型品の組み立て物が好適に使用される。表面部分には、板状アルミニウム顔料や、パール顔料などの金属光沢様の転写印刷などの着色を施したり、アルミニウム等金属蒸着シートを貼着するなどして光を反射するようにすることが好ましい。また、部材の隙間の密閉性を高めるために軟質のゴムなどを介在させることもできる。
【００１１】
箱体を収容する袋体は、ガス透過性、水蒸気透過性の低いポリプロピレンフィルムを使用する。一枚のシートを折りたたんで必要部分を熱溶着、接着剤で貼着したものや、複数のシートを熱溶着、接着剤などで貼り合わせたものが好適に使用できる。
袋体の一部である、箱体の収容される部分の背面に該当する部分を板状アルミニウム顔料や、パール顔料などの金属光沢様の転写印刷などの着色を施したり、アルミニウム等金属蒸着シートを貼着するなどして光を反射するようにすることが好ましい。箱体の収容される部分の背面に該当する部分に、折れ曲がり防止の板材を配置することもできる。
【実施例】
【００１２】
図面に基づき一例について説明する。
図１に示したものは、合成樹脂製の箱体１をポリプロピレン製の袋体２に密封収容した状態を示す斜視図である。箱体１は、少なくとも箱本体部分１ａと蓋部材１ｂとから構成されており、箱本体部分１ａに香り成分が含浸されたシャープペンシル用替芯（図示せず）が収納されている。箱体１の外形は７５ｍｍ×５ｍｍ×２０ｍｍ程度の直方体形状であり、構成される合成樹脂製板状部品の厚みは１ｍｍ〜２ｍｍ程度である。直方体の角に該当する部分には、袋体２の内面を傷つけないようにするために曲面状（所謂面取りのＲ加工）に形成されている。内部に長さ６０ｍｍ程度のシャープペンシル用替芯が２０本程度収納している。２０本の芯として一つの箱体内に収容される香料は０．０６７ｇ〜０．０６８ｇ程度である。
箱体の一面は、袋体２に収容されたときに当面面より外観される部分となる外視面１ｃであり、金属光沢様の転写印刷が施されている。
【００１３】
袋体２はポリプロピレン製であり、表面となる透明表シート部２ａと裏面となる着色シート２ｂとを有している。透明表シート部２ａから、箱体１の外視面１ｃが視認できる。箱体１の印刷面が外視できることになるので、箱体の表示を袋体の外から視認できることになる。また、着色シート２ｂの内面には、アルミ蒸着したポリプロピレンシートが配置されており、内面に金蔵光沢様の面が位置する。
参照符号２ｃ１〜２ｃ４は、透明表シート部２ａと着色シート２ｂとを熱溶着している溶着部であり、シートの端３辺（２ｃ１〜２ｃ３）と、途中部の熱溶着辺２ｃ４部分にて袋内を密封している。横側にあたる熱溶着辺２ｃ１、２ｃ３部分には、切り欠き部３が形成されており、該部を開始点として袋を破ることによって容易に袋を開放することができる。切り欠き部３より外側部分は、吊り下げ孔４ａを有する吊り下げ部４であり、店頭などでハンガーに吊り下げて表示可能とするための部分である。
袋体２を展開した図を図２に示すように、一枚のシートを折り曲げて袋状に形成しているものであるが、折り曲げ部分２ｄを袋の底に該当する部分としても良い。しかしながら、本例のもののように、袋の底に該当する部分を溶着部として幅を持たせることによって、収容される箱体の位置を上方にすることができる。このような溶着部分の幅は２ｍｍ程度から５ｍｍ程度必要であり、２ｍｍ未満では部分的な溶着不良が発生する危険が高まる。
図３に示したものは、図１のＩ−Ｉ’断面図である。
【図面の簡単な説明】
【００１４】
【図１】一例を示す斜視図。
【図２】袋体を展開した図。
【図３】図１のＩ−Ｉ’断面図。
【符号の説明】
【００１５】
１  箱体
１ａ  箱本体部分
１ｂ  蓋部材
１ｃ  外視面
２  袋体
２ａ  透明表シート部
２ｂ  着色シート
２ｃ１  溶着部
２ｃ２  溶着部
２ｃ３  溶着部
２ｃ４  溶着部
２ｄ  折り曲げ部分
３  切り欠き部
４  吊り下げ部
４ａ  吊り下げ孔
【図１】
0003134489.tif 000003
【図２】
0003134489.tif 000004
【図３】
0003134489.tif 000005